(57)【要約】【課題】駐車場が無人の状態であっても、車上荒らし等の車両の異常操作を確実に車両所有者に報知できる。【解決手段】駐車場４に駐車する各車両２内に、異常発生時に電波を発する送信装置１を装着し、駐車場４にその電波を受信する受信装置５及び複数のカメラ３を取り付け、送信装置１が電波を発したら関係するインターホン親機１０に異常報知信号を伝送する制御装置６を守衛室７に設けた。制御装置６は、送信装置１の電波情報を受けて、カメラ３を選択して該当する車両を確認しやすい画像をその車両の所有者が住居するインターホン親機１０に伝送し、インターホン親機１０は、その信号を受けてモニタ２８からカメラ画像を出画させると共にＬＥＤ２９，スピーカ３１により異常報知動作するようにした。【選択図】  図１
2004171403.tif 000002
【特許請求の範囲】
【請求項１】
集合住宅の駐車場に駐車する各車両内に取り付けられ、前記車両に異常が発生した際に電波を発する送信装置と、
前記車両外に固定設置され、前記電波を受信する受信装置と、
前記集合住宅の各居室に設置され、住居人に報知動作する報知装置を備えたインターホン親機と、
前記送信装置の発した電波を前記受信装置が受信したら、前記インターホン親機に異常報知信号を伝送する制御装置とを備え、
前記インターホン親機は、前記異常報知信号を受信したとき、前記報知装置を報知動作させることを特徴とするセキュリティシステム。
【請求項２】
前記送信装置は、送信装置を特定するＩＤ情報を付加した電波を発し、前記制御装置は前記電波を受けて前記ＩＤ情報に関連付けられたインターホン親機に前記異常報知信号を伝送することを特徴とする請求項１記載のセキュリティシステム。
【請求項３】
集合住宅の駐車場に駐車する各車両内に取り付けられ、前記車両に異常が発生した際に電波を発する送信装置と、
前記車両外に取り付けられ、前記電波を受信する受信装置と、
駐車場に設置されて前記車両の様子を撮影する少なくとも１台のカメラと、
前記集合住宅の各居室に設置され、住居人に報知動作する報知装置及び画像を映し出すモニタを備えたインターホン親機と、
前記送信装置の発した電波を前記受信装置が受信したら、異常報知信号を前記インターホン親機に伝送すると共に、前記カメラを制御してカメラの撮像画像を取得し、インターホン親機に前記画像を伝送する制御装置とを備え、
前記インターホン親機は、前記異常報知信号及び前記カメラの撮像画像を受信したら、前記報知装置を報知動作させると共に前記モニタに前記撮像画像を映し出すことを特徴とするセキュリティシステム。
【請求項４】
前記送信装置は、送信装置を特定するＩＤ情報を付加した電波を発し、前記制御装置は、前記電波を受けて前記ＩＤ情報に関連付けられた前記インターホン親機に前記異常報知信号を伝送すると共に、カメラの撮像画像を伝送することを特徴とする請求項３記載のセキュリティシステム。
【請求項５】
前記制御装置は、複数の前記カメラのうち、前記電波を発した送信装置が取り付けられた車両を撮像するカメラを選択制御することを特徴とする請求項３又は４記載のセキュリティシステム。
【請求項６】
前記制御装置は、前記電波を発した送信装置が取り付けられた車両に、カメラをパンチルト制御及び／又はズームイン制御することを特徴とする請求項５記載のセキュリティシステム。
【発明の詳細な説明】
【０００１】
【発明の属する技術分野】
本発明は車両の防犯技術に関し、詳しくは集合住宅等の駐車場において、車上荒らしや車両盗難行為等の車両異常を検知して、住居人に報知するセキュリティシステムに関する。
【０００２】
【従来の技術】
乗用車等の車両が車上荒らしや盗難行為等の犯罪行為を受けたら、センサによりこれを検知して車両内で警報音を発するセキュリティシステムが知られている。このようなシステムは、振動センサ等により車両異常を検知して警報音を発し、犯人を威嚇すると共に周囲に報知することで犯行を食止めようとするものであるが、警報動作中に車両の所有者等が近くにいなければ、犯行を食止めることは難しい。
そのため、例えば特許文献１に示すように、日時を記録可能なカメラを車両内に装備して、車両に異常が発生したらカメラを撮影動作させ、犯人を撮影すると共に犯行日時を記録するシステムが考えられている。この構成により、撮影した写真が証拠として残るため、犯人検挙に寄与させることができ、車上荒らしの大きな抑止力となるし、犯罪行為の未然防止に貢献している。
【０００３】
【特許文献１】
特開２０００−６７６２号公報
【０００４】
【発明が解決しようとする課題】
しかし、上記従来のセキュリティシステムは車両内に組み込んだシステムであるため、犯人がカメラまで破壊すれば証拠写真が残らないし、車両が盗難にあったら全く効果がない。そのため、警報音だけのシステムと同様に、警報動作中に車両の所有者等が近くにいなければ、犯行を食止めることは難しい。
そこで、本発明はこのような問題点に鑑み、駐車場が無人の状態であっても、車上荒らし等の犯行を確実に車両所有者に報知でき、また犯人検挙に有効なセキュリティシステムを提供することを目的とする。
【０００５】
【課題を解決するための手段】
上記課題を解決するため、請求項１の発明は、集合住宅の駐車場に駐車する各車両内に取り付けられ、車両に異常が発生した際に電波を発する送信装置と、車両外に固定設置され、電波を受信する受信装置と、集合住宅の各居室に設置され、住居人に報知動作する報知装置を備えたインターホン親機と、送信装置の発した電波を受信装置が受信したら、インターホン親機に異常報知信号を伝送する制御装置とを備え、インターホン親機は、異常報知信号を受信したとき、報知装置を報知動作させることを特徴とする。
このように構成することで、居室内で車両異常を報知するので、駐車場が無人の状態であっても、車両の所有者は車両異常を確実に認識でき、被害発生防止に効果的である。また、インターホン親機に連結してシステムを構成することで、居室内に新たに報知装置やモニタを設置する必要が無く、システムを安価に構成できる。更に、電話等で警察への報知も速やかに行うことができる。
【０００６】
請求項２の発明は、請求項１の発明において、送信装置は、送信装置を特定するＩＤ情報を付加した電波を発し、制御装置は電波を受けてＩＤ情報に関連付けられたインターホン親機に異常報知信号を伝送することを特徴とする。
この構成により、車両異常の報知を、その車両に関係する居室のインターホン親機に対して行うので、報知を受けた住居人は、自らが関係する車両に異常が発生したことを速やかに知ることができる。
【０００７】
請求項３の発明は、集合住宅の駐車場に駐車する各車両内に取り付けられ、車両に異常が発生した際に電波を発する送信装置と、車両外に取り付けられ、電波を受信する受信装置と、駐車場に設置されて車両の様子を撮影する少なくとも１台のカメラと、集合住宅の各居室に設置され、住居人に報知動作する報知装置及び画像を映し出すモニタを備えたインターホン親機と、送信装置の発した電波を受信装置が受信したら、異常報知信号をインターホン親機に伝送すると共に、カメラを制御してカメラの撮像画像を取得し、インターホン親機に画像を伝送する制御装置とを備え、インターホン親機は、異常報知信号及びカメラの撮像画像を受信したら、報知装置を報知動作させると共にモニタに撮像画像を映し出すことを特徴とする。
このように構成することで、居室内で異常を報知するのに加え、駐車場の様子をインターホン親機のモニタから出画するので、車両の所有者は車両異常を確実に知ると共に車両の様子を確認でき、被害発生防止に効果的であるのに加え、犯人検挙に有効である。
また、インターホン装置に連結してシステムを構成することで、居室内に新たに報知装置やモニタを設置する必要が無く、居室側のシステムは安価に構成できる。
【０００８】
請求項４の発明は、請求項３の発明において、送信装置は、送信装置を特定するＩＤ情報を付加した電波を発し、制御装置は、電波を受けてＩＤ情報に関連付けられたインターホン親機に異常報知信号を伝送すると共に、カメラの撮像画像を伝送することを特徴とする。
この構成により、異常を検知した車両の所有者のインターホン親機のみ、報知動作させると共に駐車場映像をモニタから出画させることができ、報知を受けた住居人は、自らが関係する車両に異常が発生したことを速やかに知ることができる。
【０００９】
請求項５の発明は、請求項３又は４の発明において、制御装置は、複数のカメラのうち、電波を発した送信装置が取り付けられた車両を撮像するカメラを選択制御することを特徴とする。
この構成により、車両を撮影する複数のカメラのうち最適なカメラを選択してインターホン親機に出画させることが可能であり、車両の状態を確認し易く、車上荒らし等の犯人検挙に大きく寄与できる。
【００１０】
請求項６の発明は、請求項５の発明において、制御装置は、電波を発した送信装置が取り付けられた車両に、カメラをパンチルト制御及び／又はズームイン制御することを特徴とする。
この構成により、選択したカメラが更に撮影対象を最適に撮影するよう制御されるので、更に犯人等を認識し易くなる。
【００１１】
【発明の実施の形態】
以下、本発明を具体化した実施の形態を、図面に基づいて詳細に説明する。図１は本発明に係るセキュリティシステムの一例を示し、１，１は送信装置、２，２は集合住宅の駐車場４に駐車された車両、３，３は駐車場内を撮影するよう設置されたカメラ、５は駐車場の一角に取り付けられ、送信装置１から発せられた電波を受信する受信装置、６は守衛室７に設置され、送信装置１の発する電波を受けてシステムを制御する制御装置、８は制御装置６に接続されて守衛室７内で報知動作する報知装置、１０は居室９，９・・に設置されたインターホン親機を示している。尚、インターホン親機１０は図示しない集合玄関機に接続され、公知のインターホンシステムを構成している。
【００１２】
送信装置１は、駐車場２内で駐車位置の決まっている個々の車両内に設置され、図２のブロック図に示すように構成されている。図示するように、アンテナ１１を有する本体装置１２と車両が異常操作を受けたことを検知するセンサ部１３から成り、センサ部１３は、振動センサ１３ａ、電流センサ１３ｂから構成されている。
そして、本体装置１２には、センサ部１３が接続されて異常信号を検出する異常検出部１４、個々の送信装置１を特定するＩＤ情報を設定するためのＩＤ設定部１５、アンテナ１１から電波を出力する送信回路１６、各回路を制御する送信装置ＣＰＵ１７が組み込まれている。
【００１３】
振動センサ１３ａは、例えば車両２のドアの開閉等により発生する振動を検知するよう設置されたセンサであり、電流センサ１３ｂは、例えばドアの開操作等により室内灯が点灯した際に変化する電流を検知するよう設置されている。このセンサ部１３は、更にトランクの開操作を検知するセンサを設けても良いし、人の侵入を検知する人体検知センサを設けても良く、センサの種類を増やすことで更に確実に車両の異常操作を検知できる。
【００１４】
また、送信装置ＣＰＵ１７は、異常検出部１４から異常発生信号を受けたら、ＩＤ設定部１５で設定されたＩＤ情報を付加した信号を送信回路１６を介してアンテナ１１から発信させる。
尚、送信装置１は、初期設定においてＩＤ設定が成され、少なくとも同一の駐車場に駐車する車両は互いに異なるようＩＤは設定される。また、送信装置１の電源は、車両に搭載されているバッテリから供給される。電源のオン／オフ制御は、本体装置１２にスイッチを設けて運転者が車両を離れるときオン操作するようにしても良いし、リモコンによりオン／オフ制御可能としても良い。また、この送信装置１には警報発報手段を設けていないが、ブザーを設けて異常発生時にブザーを鳴動させても良い。
【００１５】
図３は制御装置６のブロック図を示している。図３において、２０はカメラ３，３が接続されるカメラ制御部、２１は受信装置５が接続されるインターフェイス、２２は報知装置８が接続されるインターフェイス、２３は各居室９に設置されたインターホン親機１０が接続されるインターフェイスを示し、２４は各部を制御する制御装置ＣＰＵ、２５はメモリを示している。
【００１６】
メモリ２５は、送信装置１と送信装置１が装着された車両２の所有者が住する居室９に設置されたインターホン親機１０との関係を記憶したテーブル２５ａと、送信装置１が装着された車両２の駐車位置（駐車区画）及び各カメラ３，３の設置位置を記憶したマップ２５ｂとを有している。こうして、制御装置６は、受信電波のＩＤ情報から、電波を発した車両の駐車場所（駐車区画）及びその所有者の居室９を把握することができるようになっている。
尚、各送信装置１とインターホン親機１０の対応テーブル２５ａは、受信装置５が受信する電波に含まれる送信装置１のＩＤ情報と、各インターホン親機１０の有するインターホン親機１０固有のＩＤ情報を対応させることで容易に作成できるし、各車両２の駐車位置マップ２５ｂは、送信機のＩＤ情報と駐車区画データを関連づけることで容易に作成できる。
【００１７】
こうして作成したテーブル及びマップ情報により、制御装置６は受信装置５が受信した電波がどの車両から発せられているか判別できるので、車両の所有者及び駐車位置も同時に特定できる。そのため、その車両の所有者のインターホン親機に警報信号を送ると同時に、発信している車両を最適に撮影するカメラを選択して、その撮像画像データを該当するインターホン親機に送ることが容易に実施できる。
また、守衛室７に設置され制御装置６に接続された報知装置８は、スピーカ及びＬＥＤを有し（図示せず）、異常信号検出時に制御装置６から動作信号が発せられ、音と発光により報知動作する。
尚、制御装置６はインターホンシステムを制御するインターホン制御装置と一体に構成すると良く、大きな回路変更或いは追加することなくセキュリティシステムの制御装置を構成できる。
【００１８】
インターホン親機１０は、図１に示すように、送られてきたカメラ撮像画像を復調するＦＭ復調回路２７、復調した画像を出画するモニタ２８、発光表示するＬＥＤ２９、警報音を増幅するアンプ３０、警報音を発するスピーカ３１、そして各回路を制御する制御回路３２を有し、制御回路３２は、制御装置６から送られてくる異常報知信号により、カメラ撮像画像をモニタ２８から出画すると共に、ＬＥＤ２９を点灯或いは点滅させ、スピーカ３１から警報音を発するよう動作する。
【００１９】
次に、上記セキュリティシステムにおいて、送信装置１が車両異常を検知した際の動作の流れを説明する。センサ部１３が異常を検知すると、送信装置１は異常発生を報知する電波を発し、受信装置５がその電波を受信して制御装置６に受信した電波情報を送る。
制御装置６は、その電波情報を受け、何れの送信装置１から電波が発せられたかを電波の含まれるＩＤ情報から判別し、電波を発した車両２を撮影するのに適したカメラ３を選択して該当する車両の所有者の住する居室９のインターホン親機１０にその画像を伝送する。同時に、該当するインターホン親機１０に異常報知信号を送り、制御装置６に接続された報知装置８のスピーカから警報音を鳴動させると共にＬＥＤを点滅して報知動作させる。
そして、異常報知信号により呼び出されたインターホン親機１０の制御回路３２は、ＬＥＤ２９を点滅或いは点灯させると共に音声信号をスピーカ３１より発して警報動作し、制御装置６から送られてきた映像信号をモニタ２８に出画させる。
【００２０】
更に、制御装置６はマップ２５ｂのデータを基に、選択したカメラ３のパンチルト及びズームイン制御を実施する。このパンチルト及びズームイン操作は、夫々の各駐車区画に対してカメラ３のパンチルト角度を予め制御装置６に記憶させておくことで自動で実施でき、こうすることでインターホン親機１０のモニタ２８にて車両の様子が鮮明に出画され、車上荒らし等の犯人を確認し易く、犯人検挙に効果的である。
尚、この異常報知信号及び映像信号伝送経路は、従来のカメラ付子機とインターホン親機間の伝送路と共通で、緊急時以外はインターホンの子機、親機間の通話に利用されている。
【００２１】
このように、居室内で車両異常を報知するので、駐車場が無人の状態であっても、車両の所有者は車両異常を確実に認識でき、被害発生防止に効果的であるし、インターホン親機に連結してシステムを構成することで、居室内に新たに報知装置やモニタを設置する必要が無く、システムを安価に構成できる。更に、電話等で警察等への通報も速やかに行うことができる。
また、車両異常の報知を、その車両に関係する居室のインターホン親機に対して行うので、住居人である車両の所有者は、車両に異常が発生したことを速やかに知ることができるし、同時に駐車場に設置したカメラにより、駐車場の様子をインターホン親機のモニタから確認できるので、車両の様子を居室内から確認でき、被害発生防止に効果的であるのに加え、犯行をモニタを介して目撃でき、犯人検挙に有効である。
さらに、駐車場を撮影する複数のカメラのうち、異常発生車両を良好に撮影するカメラを選択してインターホン親機に出画させるので、異常発生車両の様子を鮮明に表示でき、車上荒らし等の犯人を確認し易く、犯人検挙に大きく寄与できる。
また、制御装置が撮影対象を最適に撮影するよう選択したカメラを制御するので、更に犯人等を認識しやすい。
【００２２】
尚、上記実施形態では、車両異常の発生を車両の所有者のインターホン親機と守衛室のみ警報動作させているが、駐車場に止めてある車両の何れかが異常を検出したら、全ての居室のインターホン親機を警報動作させても良い。また、制御装置を守衛室に設けているが、守衛室に限定する必要はなく管理スペースや共用空間に設置しても良い。
更に、駐車場にカメラを設けたシステムとしているが、カメラを設けずに、車両異常をその車両の関係するインターホン親機に通報するだけでも、車両の所有者は車両異常を確実に認識でき、被害発生防止に効果的である。
【００２３】
【発明の効果】
以上詳述したように、本発明によれば、駐車場が無人の状態であっても、居室内で車両異常を報知するので、車両の所有者は車両異常を確実に認識でき、車上荒らし等の被害発生防止に効果的であるし、犯人検挙に有効である。  また、インターホン親機に連結してシステムを構成することで、居室内に新たに報知装置やモニタを設置する必要が無く、システムを安価に構成できる。
【図面の簡単な説明】
【図１】本発明の実施形態の一例を示すセキュリティシステムの構成図である。
【図２】図１の送信装置のブロック図である。
【図３】図１の制御装置のブロック図である。
【符号の説明】
１・・送信装置、２・・車両、３・・カメラ、４・・駐車場、５・・受信装置、６・・制御装置、９・・居室、１０・・インターホン親機、２８・・モニタ、２９・・報知装置としてのＬＥＤ、３１・・報知装置としてのスピーカ。
【図１】
2004171403.tif 000003
【図２】
2004171403.tif 000004
【図３】
2004171403.tif 000005